(57)【要約】      （修正有）【課題】制御装置による変速段の誤検知を好適に防止しクラッチの係合に関わらず変速機の現変速段ステータスを迅速かつ正確に検知することが出来る自動車の変速機を提供する。【解決手段】メインシャフトの回転数Nmとカウンターシャフトの回転数Ncとの実変速比であるギヤレシオ演算Rgと、各変速段についての変速比変動許容領域を規定する変速比マップとから現シフト段を判定し、判定された現シフト段ステータスを決定する際、ギヤレシオ演算Rgが次段の変速比変動許容領域内に到達した時に遅延タイマーを始動させ、遅延タイマーが作動している間、現シフト段ステータスの決定を休止し、そして予め設定された遅延時間Ｔn*(n=1,2,・・・)が経過した後に現シフト段ステータスを決定する。【選択図】図２
2015227713.tif 000002
【特許請求の範囲】
【請求項１】
駆動源からの駆動力がクラッチを介して入力される入力軸と、
複数のギヤ列のうちの１つを選択する複数のシンクロからなるシンクロ群と、
選択された前記ギヤ列によって所望変速比に変速された前記駆動力をファイナルギヤに伝達する出力軸と、
第１回転数検出手段によって検出される前記入力軸の回転数と第２回転数検出手段によって検出される前記出力軸の回転数とに基づいて実変速比を算出する変速比演算手段と、
各変速段について変速比変動許容領域を規定する変速比マップと、
前記実変速比と前記変速比変動許容領域とに基づき現変速段を判定する変速段判定手段と、
変速段のニュートラル状態を検出するニュートラル状態検出手段とを備えた変速機において、
前記変速段判定手段は第１所定時間を計測するための第１タイマーを有し、前記変速比が前記現変速段の次段の上位または下位変速段に対応する変速比変動許容領域に到達した時に、前記第１タイマーを始動させると共に前記第１タイマーが作動している間前記現変速段の決定を休止することを特徴とする変速機。
【請求項２】
前記変速段判定手段は変速段のステータスを表示する変速段表示手段を備え、前記第１タイマーが作動している間前記変速段表示手段において現変速段を表示しないことを特徴とする請求項１に記載の変速機。
【請求項３】
前記変速段判定手段は前記変速比が前記次段の変速比変動許容領域から離脱した時に、前記第１タイマーを停止し計測した時間をリセットすることを特徴とする請求項１又は２に記載の変速機。
【請求項４】
前記第１タイマーの作動時間は高速段側から低速段側に行くにつれて長くなるように予め設定されていることを特徴とする請求項１から３の何れかに記載の変速機。
【請求項５】
前記変速段判定手段は第２所定時間を計測するための第２タイマーを備え、前記ニュートラル状態検出手段によってニュートラル状態が検出された時あるいは前記変速比が現変速段に対応する変速比変動許容領域から離脱する時の何れか早い時に、前記第２タイマーを始動させると共に前記第２タイマーが作動している間前記変速段表示手段において、前記第２タイマーを始動させる直前の変速段を表示させることを特徴とする請求項１から４の何れかに記載の変速機。
【請求項６】
前記変速段判定手段は、前記第１タイマーを始動させる場合、前記第２タイマーの作動を停止させることを特徴とする請求項１から４の何れかに記載の変速機。
【発明の詳細な説明】
【技術分野】
【０００１】
本発明は自動車の変速機に関し、より詳細には制御装置による変速段の誤検知を好適に防止しクラッチの係合に関わらず変速機の現変速段ステータスを迅速かつ正確に検知することが出来る自動車の変速機に関するものである。
【背景技術】
【０００２】
自動車の手動変速機の変速段ステータスを迅速かつ正確に検知するための方法として、変速機のチェンジ機構に各変速段のステータスを検出する位置検出センサをそれぞれ設け、これら位置検出センサによって変速機の現変速段を直接検知する方法が知られている。この方法の場合、変速機の変速段を正確に検知することが出来るというメリットを有しているが、各変速段に対応した複数の位置検出センサが必要となるため、構造が複雑となり、生産コストが増大するというデメリットを有している。
ところで、チェンジ機構に位置検出センサを設ける代わりに、変速機の入力軸側と出力軸側に回転検出センサをそれぞれ設置し、各センサが出力する信号に基づいて現変速段を判定する変速指示装置が知られている（例えば、特許文献１を参照。）。
また、エンジンの回転数センサの出力信号から算出されるエンジン回転数と車速センサの出力信号から算出される車速との比に基づいて現ギヤ段の判定を行うギヤ位置判定装置が知られている（例えば、特許文献２を参照）。
【先行技術文献】
【特許文献】
【０００３】
【特許文献１】特開２００８−３９１１１号公報
【特許文献２】特許第４４０４０９６号公報
【発明の開示】
【発明が解決しようとする課題】
【０００４】
上記特許文献１に記載されているギヤ位置判定装置では、変速段の判定は入出力軸に設けられた２つの回転検出センサによって行われるため電気信号系統のシステム構成が簡素化され変速機システム全体に係る生産コストの増大を抑えるというメリットがある。
しかし、シンクロ作動開始から完了直後に発生する駆動系の捩り振動やガタによって回転数が安定しない場合、こられの回転検出センサによって計測される入力軸および出力軸の各回転数に基づいて正確な変速比を算出することが出来ず、エンジンコントロール装置（ＥＣＵ）等の制御装置が現変速段を誤検知する可能性があり、最悪の場合、変速段の点滅的表示を招く虞がある。また、例えば２速段から５速段への飛びシフト時において、中間変速段（この場合、３速段と４速段）に係る回転数を通過する瞬間に、同様に制御装置はその中間変速段を現変速段として誤検知する可能性がある。
また、上記特許文献２では、エンジン回転数と車速との比に加えて車速の車速変化勾配（微分）によって、変速機の現変速段を検知することとしている。
しかし、この方法では、例えばクラッチを切った直後においてエンジン回転数は一時的に変動するため、現変速段を正確に検知することが難しいという問題がある。更に車速変化勾配が閾値を超えない限り、シフト段の誤検知を防止することが出来ないという問題点も有している。
そこで、本発明は、上記従来技術の問題点に鑑み成されたものであり、その目的は、制御装置による変速段の誤検知を好適に防止しクラッチの係合に関わらず変速機の現変速段ステータスを迅速かつ正確に検知することが出来る自動車の変速機を提供することにある。
【課題を解決するための手段】
【０００５】
上記目的を達成するための本発明に係る変速機では、駆動源からの駆動力がクラッチを介して入力される入力軸と、複数のギヤ列のうちの１つを選択する複数のシンクロからなるシンクロ群と、選択された前記ギヤ列によって所望変速比に変速された前記駆動力をファイナルギヤに伝達する出力軸と、第１回転数検出手段によって検出される前記入力軸の回転数と第２回転数検出手段によって検出される前記出力軸の回転数とに基づいて実変速比を算出する変速比演算手段と、各変速段について変速比変動許容領域を規定する変速比マップと、前記実変速比と前記変速比変動許容領域とに基づき現変速段を判定する変速段判定手段と、変速段のニュートラル状態を検出するニュートラル状態検出手段とを備えた変速機において、
前記変速段判定手段は第１所定時間を計測するための第１タイマーを有し、前記変速比が前記現変速段の次段の上位または下位変速段に対応する変速比変動許容領域に到達した時に、前記第１タイマーを始動させると共に前記第１タイマーが作動している間前記現変速段の決定を休止することを特徴とする。
【０００６】
上記構成では、実変速比と変速比マップに基づいて判定された現変速段（現在インギヤ中の変速段）を決定する際、現変速段の決定を休止する時間である第１タイマーを設けることにより、入出力軸の各回転数が乱れて安定しないシンクロ作動中やシンクロ作動完了直後における制御装置による現変速段の決定を休止するように構成されている。これにより、制御装置による変速段の誤検知が好適に防止され、その結果、入出力軸の各回転数が乱れて安定しない期間における現変速段の点滅的表示や通過のみの中間変速段の一時的表示が好適に抑制されるようになる。
【０００７】
また、本発明に係る変速機は、変速段のステータスを表示する変速段表示手段を備え、該変速段表示手段は第１タイマーが作動している間現変速段を表示しないことを特徴とする。
【０００８】
上記構成では、第１タイマーが作動している間、すなわち入出力軸の各回転数が乱れて安定しないシンクロ作動中やシンクロ作動完了直後において現変速段のステータス表示が禁止されるため、現変速段の点滅的表示や中間変速段の一時的表示によりドライバーに違和感を与えることがなくなる。
【０００９】
また、本発明に係る変速機では、前記変速段判定手段は前記変速比が前記次段の変速比変動許容領域から離脱した時に、前記第１タイマーを停止し計測した時間をリセットすることを特徴とする。
【００１０】
上記構成では、駆動系の捩れ振動が大きく、入出力軸の各回転数が安定しない期間においても現変速段の点滅的表示を好適に禁止し、現変速段を正確に表示することが出来るようになる。
【００１１】
また、本発明に係る変速機では、前記第１タイマーの作動時間は高速段側から低速段側に行くにつれて長くなるように予め設定されていることを特徴とする。
【００１２】
低速段側では伝達トルク、ギヤの回転モーメントが高速段側に比べ大きいため、変速直後の低速段側の捩り振動やガタは高速段側に比べ大きく、その結果回転数が安定しない期間は低速段側が高速段側に比べ長くなる。
そこで、上記構成では、現変速段の決定を休止する時間である第１タイマーの作動時間を高速段側から低速段側に行くにつれて長くなるように設定し、入出力軸の各回転数が安定しない期間おける現変速段の点滅的表示や通過のみの中間変速段の一時的表示を好適に抑制することが出来るようになる。
【００１３】
また、本発明に係る変速機では、前記変速段判定手段は第２所定時間を計測するための第２タイマーを備え、前記ニュートラル状態検出手段によってニュートラル状態が検出された時あるいは前記実変速比が現変速段に対応する変速比変動許容領域から離脱する時の何れか早い時に、前記第２タイマーを始動させると共に前記第２タイマーが作動している期間において、前記第２タイマーを始動させる直前の変速段を前記変速段表示手段に表示させることを特徴とする。
【００１４】
上記構成では、シフト変速直前の変速段ステータスを表示し続ける上記第２タイマーを設けることにより、シフト変速初期における現変速段が確定しない不確定時間（空白時間）を短縮し、シフト変速初期における現変速段の点滅的表示や通過のみの中間変速段の一時的表示を好適に抑制することが出来る。
【００１５】
更に、本発明に係る変速機では、前記変速段判定手段は前記第１タイマーを始動させる場合、前記第２タイマーの作動を停止させることを特徴とする。
【００１６】
上記構成では、第２タイマーよりも第１タイマーの作動が優先されるため、入出力軸の各回転数が安定した後における現変速段を迅速に表示することが出来る。
【発明の効果】
【００１７】
本発明の変速機によれば、実変速比と変速比マップに基づいて判定された現変速段（現在インギヤ中の変速段）を決定する際、現変速段の決定を予め決められた時間休止する第１タイマー（遅延タイマー）が設けられ、入出力軸の各回転数が乱れて安定しないシンクロ作動中やシンクロ作動完了直後における制御装置による現変速段の決定を休止するように構成されている。これにより、制御装置による変速段の誤検知が好適に防止され、その結果、入出力軸の各回転数が乱れて安定しない期間における現変速段の点滅的表示や通過のみの中間変速段の一時的表示が好適に抑制されるようになる。
また、現変速段の判定は、第１及び第２回転数検出手段によって計測される入力軸の実回転数と出力軸の実回転数との実変速比ならびに各変速段の変速比変動許容領域を規定する変速比マップに基づいて行われるため、クラッチ係合に関わらず現変速段を迅速かつ正確に表示することが出来ると共に、現変速段の判定処理において中立位置以外の各変速段の位置検出センサが不要となるため生産コストの削減が期待される。
更に、シフト変速直前の現変速段を予め決められた時間表示し続ける第２タイマーを設けることにより、シフト変速初期における現変速段が確定しない不確定時間（空白時間）を短縮することが出来るため、上記第１タイマーと相俟って現変速段の点滅的表示や中間変速段の一時的表示を更に好適に抑制することが可能となり、これによりドライバーに違和感を与えることが好適になくなる。
【図面の簡単な説明】
【００１８】
【図１】本発明に係る変速機システムの構成を示す説明図である。
【図２】本発明のシフト段誤検知防止処理（保持タイマー無し）の一例を示すフロー図である。
【図３】図２のシフト段誤検知防止処理（保持タイマー無し）に係るニュートラルセンサ信号、カウンターシャフト回転数とメインシャフト回転数とのギヤレシオ演算、並びにシフト段ステータス等の各タイムチャート（時系列データ）を示す説明図である。
【図４】本発明のシフト段誤検知防止処理（保持タイマー有り）の一例を示すフロー図である。
【図５】図４のシフト段誤検知防止処理（保持タイマー有り）に係るニュートラルセンサ信号、カウンターシャフト回転数とメインシャフト回転数とのギヤレシオ演算、並びにシフト段ステータス等の各タイムチャート（時系列データ）を示す説明図である。
【図６】本発明に係る変速比マップを示す説明図である。
【発明を実施するための形態】
【００１９】
以下、図に示す実施の形態により本発明をさらに詳細に説明する。
【００２０】
図１は、本発明に係る変速機システム１００の構成を示す説明図である。なお、説明の都合上、エンジンを含む駆動源１についても併せて図示されている。
この変速機システム１００は、駆動力を発生する駆動源１とギヤ部３との連結を断続するクラッチ部２と、駆動源１から伝達される駆動力の回転数を所望の回転数へ変速するギヤ部３と、ドライバーがクラッチ部２を操作するためのクラッチ操作部４と、ドライバーがギヤ部３を操作するためのシフト段操作部５と、本発明のシフト段誤検知防止処理を実行する（実変速比演算手段および変速段判定手段としての）シフト段判定装置６と、確定（決定）された現シフト段のステータスを表示する（変速段表示手段としての）シフト段ステータス表示器７とを具備して構成されている。なお、本発明のシフト段誤検知防止処理については図２から図６を参照しながら後述する。以下、各構成について更に説明する。
【００２１】
本発明が適用される駆動源１のエンジンとしては回転駆動力を出力するものであれば良くその回転駆動力を発生する機構は特に限定されず、例を挙げるとガソリンエンジン等の内燃機関の他、電動エンジン又はハイブリッドエンジン等である。
【００２２】
クラッチ部２は油圧式クラッチであり、ドライバーがクラッチペダル４ａを踏み込むことによってクラッチマスターシリンダ４ｂで油圧が発生し、その油圧が油圧配管部４ｃを伝わって、その油圧によってレリーズシリンダ４ｄ及びレリーズフォーク４ｅ等から成るクラッチディスク駆動機構を駆動し、その駆動力によってクラッチディスク２ａに対するクラッチカバー２ｂによる押圧が解除されクラッチディスク２ａがフライホイール１ａから引き離されることになる。また、クラッチペダル４ａの近傍にはクラッチペダルスイッチ４ｆが配置され、ドライバーがクラッチペダル４ａを踏み込む度に信号を出力する。
【００２３】
ギヤ部３は、メインシャフト３ａ、カウンターシャフト３ｂ及びリバースアイドルシャフト３ｃを有する。メインシャフト３ａ上にはシフト段操作部５の１速位置Ｄ１から６速位置Ｄ６および後進位置Ｒに対応するギヤ群M1GからM6GとリバースドライブギヤRDrGがそれぞれ配設されている。なお、メイン１速ギヤM1G、メイン２速ギヤM2GおよびリバースドライブギヤRDrGはメインシャフト３ａ上に固定支持されメインシャフト３ａと一体となって回転するのに対し、ギヤ群M3G、M4G、M5GおよびM6Gはメインシャフト３ａ上に回動自在に支持されている。他方、カウンターシャフト３ｂ上にはメインシャフト３ａの上記ギヤ群M1GからM6Gに常時噛み合うギヤ群C1GからC6G、並びに１−２速同期機構（図示せず）のスリーブ（図示せず）の外側に刻設されたリバースドリブンギヤRDnGがそれぞれ配設されている。なお、カウンター１速ギヤC1Gおよびカウンター２速ギヤC2Gはカウンターシャフト３ｂ上に回動自在にそれぞれ支持されているのに対しギヤ群C3G、C4G、C5GおよびC6Gはカウンターシャフト３ｂ上に固定支持されカウンターシャフト３ｂと一体となって回転する。また、リバースドライブギヤRDrGおよびリバースドリブンギヤRDnGの双方に噛み合うリバースアイドルギヤRIGが回動自在にリバースアイドルシャフト３ｃ上に設けられている。
【００２４】
そして、カウンターシャフト３ｂのカウンター１速ギヤC1G及び２速ギヤC2Gとの間には、カウンター１速ギヤC1G又は２速ギヤC2Gを選択的にカウンターシャフト３ｂに一体化結合（同期）させる１−２速同期機構（図示せず）、並びにメインシャフト３ａのメイン３速ギヤM3G及び４速ギヤM4Gとの間には、メイン３速ギヤM3G又は４速ギヤM4Gをメインシャフト３ａに一体化結合させる３−４速同期機構（図示せず）、並びにメインシャフト３ａのメイン５速ギヤM5G及びメイン６速ギヤM6Gとの間には、メイン５速ギヤM5G又は６速ギヤM6Gをメインシャフト３ａに一体化結合させる５−６速同期機構（図示せず）がカウンターシャフト３ｂ、メインシャフト３ａにそれぞれ設けられている。
【００２５】
従って、１−２速同期機構を介してカウンター１速ギヤC1G又はカウンター２速ギヤC2Gをカウンターシャフト３ｂに一体化結合させれば、１速ギヤ列または２速ギヤ列が確立される。また、３−４速同期機構を介してメイン３速ギヤM3G又はメイン４速ギヤM4Gをメインシャフト３ａに一体化結合させれば、３速ギヤ列または４速ギヤ列が確立される。更に、５−６速同期機構を介してメイン５速ギヤM5G又はメイン６速ギヤM6Gをメインシャフト３ａに一体化結合させれば、５速ギヤ列または６速ギヤ列が確立される。また、後進ギヤ列については、リバースアイドルギヤRIGをリバースドライブギヤRDrG及びリバースドリブンギヤRDnGの双方に噛み合う位置に移動させることにより後進ギヤ列を確立することが出来る。確立された各ギヤ列は、エンジンの駆動力をメインシャフト３ａからカウンターシャフト３ｂへ所定の変速比で伝達し、カウンターシャフト３ｂに伝達された駆動力は、ファイナルドライブギア（図示せず）を介して差動装置（図示せず）へと伝達される。
【００２６】
また、メインシャフト３ａ側には、メインシャフト３ａの回転数を検知するメイン回転数検知センサ３ｄが設けられている。メインシャフト３ａの回転数は、メインシャフト３ａと一体となって（同期して）回転するギヤ、例えばメイン１速ギヤM1G、メイン２速ギヤM2GまたはリバースドライブギヤRDrGから取り出すことが可能である。同様に、カウンターシャフト３ｂ側には、カウンターシャフト３ｂの回転数を検知するカウンター回転数検知センサ５eが設けられている。カウンターシャフト３ｂの回転数は、カウンターシャフト３ｂと一体となって（同期して）回転するギヤ、例えばカウンター３速ギヤC3Gから６速ギヤC6Gの何れか一つのギヤから取り出すことが可能である。これらの回転数検知センサ３ｄ、３ｅから取り出された各信号は、後述する本発明のシフト段誤検知防止処理を実行する際に使用される。
【００２７】
シフト段操作部５は、チェンジレバー５ａ、ゲート部５ｂ、チェンジワイヤ５ｃ、並びにギヤ部３の各同期機構を駆動するリンク機構５ｄから成る。なお、詳細については省略するが、リンク機構５ｄは、軸方向および軸回りに移動、回転可能なシフトアーム（図示せず）と、各同期機構の各スリーブ（図示せず）に係合する４個のシフトフォーク（図示せず）と、シフトアーム及びシフトフォークの双方に係合する４個のシフトピース（図示せず）とをそれぞれ有し、ドライバーによって操作されるチェンジレバー５ａの動きに応じてシフトアームを軸方向に移動させ１つのシフトピースに係合させると共に、シフトアームを軸回りに回転させ、シフトピースをメインシャフト３ａ又はカウンターシャフト３ｂの軸方向に移動させ各同期機構を駆動するように構成されている。また、シフトアームの軸方向に直交する方向には、チェンジレバー５ａの中立位置（ニュートラル位置）を直接検出するニュートラルセンサ５ｅが設けられている。
【００２８】
シフト段判定装置６は、メイン回転数検知センサ３ｄおよびカウンター回転数検知センサ３ｅが出力する各信号Nm、Ncならびにニュートラルセンサ５ｅが出力する信号Pnを取り込んで後述する本発明のシフト段誤検知防止処理を実行し現シフト段を判定する。なお、シフト段判定装置６として専用のコントローラを設置しても良いが、本実施例ではシフト段判定装置６としてエンジンコントロールＥＣＵを使用している。
【００２９】
シフト段ステータス表示器７はシフト段判定装置６の指令を受けＬＥＤランプ等によって現シフト段を表示する。
【００３０】
図２は、本発明のシフト段誤検知防止処理（保持タイマー無し）の一例を示すフロー図である。なお、ここではシフト段を１速段から２速段へシフトアップする例を示す。
【００３１】
先ず、ステップＳ１では、現シフト段の実変速比を演算する。実変速比の演算はメイン回転数検知センサ３ｄから出力されるメインシャフト３ａの回転数に係る信号Ｎmと、カウンター回転数検知センサ３ｅから出力されるカウンターシャフト３ｂの回転数に係る信号Ｎcとの比を算出することにより行われる。なお、その演算結果は、ギヤレシオ演算Rg（図３）としてシフト段判定装置６内に記憶される。
【００３２】
次に、ステップＳ２では、ギヤレシオ演算Rgが１速段の変速比変動許容領域内か否かを判定する。本実施例で言う「変速比変動許容領域」とは、図６の変速比マップにおいて各変速段のギヤ比を挟む上下２つの点線によって囲まれた領域を言う。また、本実施例で言う「判定」とは、算出したギヤレシオ演算Rgが図６の変速比変動許容領域内にあるか或いはその領域から離脱状態にあるかを判定することを意味し、その判定結果は「シフト段演算」（図３又は図５）としてシフト段判定装置６内に記憶される。今の場合、ステップＳ１で算出したギヤレシオ演算Rgが１速段の変速比変動許容領域内（ＹＥＳ）にあればステップＳ３へ進み、一方、ギヤレシオ演算Rgが１速段の変速比変動許容領域から離脱状態（ＮＯ）にあればステップＳ６へ進む。
【００３３】
次に、ステップＳ３では、現シフト段が中立位置（ニュートラル位置）か否かを判定する。本実施例で言う「中立位置」とは、ドライブギヤのいずれも同期機構によって入力軸３ａまたは出力軸３ｂに固定されない位置（インギヤされない位置）を言う。中立位置の検出は、ニュートラルセンサ５ｅから出力されるニュートラルセンサ信号Ｐnに基づいて判定される。従って、シフト段判定装置６がニュートラルセンサ信号Ｐnのオン信号を受信する場合は現シフト段がニュートラル位置（ＹＥＳ）と判定され、ステップＳ４へ進み再度現シフト段が中立位置か否かを判定する。他方、ニュートラルセンサ信号Ｐnのオン信号を受信しない場合は現シフト段が中立位置ではない（ＮＯ）と判定され、ステップＳ１へ戻り再度、現シフト段の実変速比であるギヤレシオ演算Rgを算出する。
【００３４】
ステップＳ４では、ステップＳ３と同様に中立位置か否かを判定する。現シフト段がニュートラル位置（ＹＥＳ）と判定された場合は、現シフト段のステータスはニュートラル位置と確定（決定）され、ステップＳ１２へ進み、シフト段ステータス表示器７において何も表示されない。なお、本実施例で言う「確定（決定）」とは、シフト段判定装置６等の制御装置が現シフト段を「シフト段ステータス」（データ）として認識することを言い、確定された「シフト段ステータス」は制御装置内に保存される。そして、ステップＳ４に戻り再度同じ処理を実施する。他方、現シフト段が中立位置ではない（ＮＯ）と判定された場合は、ステップＳ５へ進み、ステップＳ１と同様に現シフト段の実変速比（ギヤレシオ演算Rg）を算出する。
【００３５】
ステップＳ６では、ギヤレシオ演算Rgが、次段である２速段の変速比変動許容領域内か否かを判定する。ステップＳ５で算出したギヤレシオ演算Rgが図６に示される２速段の変速比変動許容領域内（ＹＥＳ）にあればステップＳ７へ進み、遅延タイマーを始動させる。なお、遅延させる対象は現シフト段（現変速段）の決定である。また、全体を通じて「現シフト段（現変速段）」とは、算出したギヤレシオ演算Rgが図６に示される変速比変動許容領域内にあることによって判定されたシフト段（変速段）のことを意味する。
【００３６】
ギヤレシオ演算Rgが２速段の変速比変動許容領域から離脱状態（ＮＯ）にあれば、現シフト段のステータスは”不確定”として確定（決定）されるため、ステップＳ１３へ進み、シフト段ステータス表示器７において何も表示されない。そして、ステップＳ４に戻り再度同じ処理を実施する。
【００３７】
ステップＳ８では、ステップＳ１及びＳ５と同様に現シフト段の実変速比であるギヤレシオ演算Rgを算出する。
【００３８】
ステップＳ９では、ステップＳ６と同様にステップＳ８で算出したギヤレシオ演算Rgが２速段の変速比変動許容領域内か否かを判定する。ステップＳ８で算出したギヤレシオ演算Rgが２速段の変速比変動許容領域内（ＹＥＳ）にあれば、ステップＳ１０へ進む。他方、ギヤレシオ演算Rgが２速段の変速比変動許容領域から離脱状態（ＮＯ）にあれば、現シフト段のステータスは確定しないため、ステップＳ１４へ進み、ステップＳ１４において遅延タイマーの作動は停止され遅延時間はゼロにリセットされる。その後再度ステップＳ４へ戻り、再度中立位置か否かを判定する。なお、ステップＳ４→ステップＳ５→ステップＳ６を経てステップＳ７において再度遅延タイマーを始動させる場合、遅延タイマーはゼロからスタートすることになる。
【００３９】
ステップＳ１０では、遅延時間（遅延タイマーがスタートした後の経過時間）が設定時間Ｔ２*を超えたか否かを判定する。遅延時間が設定時間Ｔ２*を超えている（ＹＥＳ）と判定された場合は、現シフト段のステータスが確定（決定）しステップＳ１１へ進み、シフト段ステータス表示器７において２速段を意味する”２”と表示され、処理が終了する。他方、遅延時間が設定時間Ｔ２*を超えていない（ＮＯ）と判定された場合は、設定時間Ｔ２*が経過するまで、実変速比の算出処理（ステップＳ８）および現シフト段の判定処理（ステップＳ９）を繰り返し実施し、その後ステップＳ１１へ進み、シフト段ステータス表示器７において２速段を意味する”２”と表示され、処理が終了する。
【００４０】
なお、遅延タイマーの設定時間の長さについては変速後のシフト段毎に異なり、１速段の設定時間Ｔ１*が最大で、以後、２速段の設定時間Ｔ２*＞３速段の設定時間Ｔ３*＞４速段の設定時間Ｔ４*＞５速段の設定時間Ｔ５*＞６速段の設定時間Ｔ６*の順に大きくなる。これは、低速段の伝達トルク、ギヤの回転モーメントが高速段に比べ大きいためである。
【００４１】
図３は、図２のシフト段誤検知防止処理（保持タイマー無し）に係るニュートラルセンサ信号Pn、カウンターシャフト回転数Ncとメインシャフト回転数Nmとのギヤレシオ演算Rg、並びにシフト段ステータス等の各タイムチャート（時系列データ）を示す説明図である。なお、参考としてシフト荷重Ls、クラッチストロークSc、シフトストロークSs及びエンジン回転数Neの各タイムチャートについても併記されている。また、図中の「シフト段演算」とは、ギヤレシオ演算Rgを図６に示す変速比マップ（各変速段の変速比変動許容領域）に基づいて離散化処理することにより得られた現シフト段ステータス（１速段、２速段、・・・）を示す指標である。
【００４２】
時刻t1においてクラッチペダル４ａが踏み込まれると図２の処理が開始し、シフト段判定装置６はカウンターシャフト回転数Ncとメインシャフト回転数Nmを取り込みながらギヤレシオ演算Rgおよびシフト段演算をそれぞれ実施する。これらの処理は図２のステップＳ１及びＳ２に対応している。
【００４３】
時刻t2においてニュートラルセンサ信号Pnがオン（ＯＮ）となると、シフト段ステータス（図１のシフト段ステータス表示器７）の表示は１速段を意味する”１”の表示からニュートラル位置を意味する空白表示に切り替わる。そして、時刻t2から時刻t4までの間シフト段ステータスはニュートラル位置を意味する空白表示を表示し続ける。他方、時刻t3から時刻t5におけるシフト段演算を見ると、１速段（1st）と判定している。つまり、時刻t3から時刻t5におけるシフト段ステータスの表示とシフト段演算の表示が互いに異なっている。これは、ニュートラル位置の表示に関してシフト段ステータスの表示はニュートラルセンサ信号Pnを基に決められるのに対し、シフト段演算の表示はメインシャフト回転数Nmとカウンターシャフト回転数Ncとの実変速比であるギヤレシオ演算Rgを基に決められるからである。メインシャフト３ａ及びカウンターシャフト３ｂの各回転数Nm、Ncの各タイムチャートを見ると明らかな通り、シフト開始直後において駆動系の捩り振動やガタによってメインシャフト３ａ及びカウンターシャフト３ｂの各回転数Nm、Ncは安定しない。従って、本発明のシフト段誤検知防止処理では、ニュートラル位置の判定に関してギヤレシオ演算Rgよりもニュートラルセンサ５ｅの信号を優先してニュートラル位置を判定するため、ニュートラル位置を正確に判定することが出来ると共に、シフト段ステータスにおいてニュートラル位置を正確に表示することが出来る。なお、このニュートラル位置の判定は図２におけるステップＳ３→ステップＳ４→ステップＳ１２→ステップＳ４→・・・の処理に対応している。
【００４４】
また、時刻t4においてニュートラルセンサ信号Pnがオフ（ＯＦＦ）となり、時刻t4以後シフト段判定装置６はギヤレシオ演算Rg（シフト段演算）を基に現シフト段のステータスを判定する。特に時刻t4からt5において、シフト段演算は１速段のままであるから、シフト段判定装置６は（現シフト段は）未だ次段（今の場合２速段）に到達していないと判定し現シフト段は不確定であると決定してシフト段ステータスにおいて何も表示しない。なお、この不確定の判定・決定処理は図２におけるステップＳ５→ステップＳ６→ステップＳ１３→・・・の処理に対応している。
【００４５】
そして、時刻t5においてギヤレシオ演算Rgが１速段の変速比変動許容領域（図６において点線と点線によって囲まれた領域）から離脱するため、時刻t5以後
も同様にシフト段判定装置６は（現シフト段は）未だ２速段に到達していないと判定し現シフト段は不確定であると決定してシフト段ステータスにおいて何も表示しない。この不確定の判定・決定処理も図２のステップＳ４→ステップＳ５→ステップＳ６→ステップＳ１３→・・・の処理に対応している。
【００４６】
そして、時刻t6においてギヤレシオ演算Rgが次段領域である２速段の変速比変動許容領域内に到達すると、シフト段判定装置６は遅延タイマーを始動させ、遅延時間の計測を開始する。しかし、時刻t7においてシフト段演算が次段領域である２速段の変速比変動許容領域から離脱するため、時刻t7において遅延タイマーが停止され遅延時間がリセットされる。従って、時刻t6から時刻t7の間、シフト段判定装置６は現シフト段は未だ２速段に達していないと判定し現シフト段は不確定であると決定してシフト段ステータスにおいて何も表示しない。このように、ギヤレシオ演算Rgが次段の変速比変動許容領域に到達し遅延タイマーが始動する場合であっても、ギヤレシオ演算Rgがその変速比変動許容領域から離脱する場合は遅延タイマーの作動が停止され遅延時間がリセットされる。なお、この不確定の判定・決定処理は図２のステップＳ６→ステップＳ７→ステップＳ８→ステップＳ９→ステップＳ１４→ステップＳ４→ステップＳ５→ステップＳ６→ステップＳ１３・・・の処理に対応している。
【００４７】
そして、時刻t8においてシフト段演算が再び２速段の変速比変動許容領域内に到達すると、シフト段判定装置６は遅延タイマーを再び始動させ、遅延時間の計測を開始する。遅延タイマーは所定の間Ｔ２*だけ、すなわち、時刻t8から時刻t9（＝t8＋Ｔ２*）までの間作動する。遅延タイマーが作動している間、シフト段判定装置６は現シフト段が対応する変速比変動許容領域内であるか否かを判定しながらシフト段ステータスの決定を休止しシフト段ステータスにおいて何も表示しない。この不確定の判定・決定処理は図２のステップＳ７→ステップＳ８→ステップＳ９→ステップＳ１０→ステップＳ８→・・・の処理に対応している。
【００４８】
そして、時刻t9において遅延タイマーの作動が終了すると、シフト段判定装置６はシフト段演算の結果を参照しながら現シフト段のステータスを確定（決定）し、シフト段ステータスにおいて２速段を意味する”２”と表示する。
【００４９】
以上の通り、本発明のシフト段誤検知防止処理では、ギヤレシオ演算Rgと変速比マップに基づいて判定された現シフト変速段（現在インギヤ中のシフト段）を決定する際、現シフト段ステータスの決定を予め決められた時間休止する遅延タイマーが設けられ、メインシャフト３ａ及びカウンターシャフト３ｂの各回転数Nm、Ncが乱れて安定しないシンクロ作動中やシンクロ作動完了直後における現シフト段ステータスのシフト段判定装置６による決定を休止するように構成されている。これにより、シフト段判定装置６によるシフト段の誤検知が好適に防止され、その結果、メインシャフト３ａ及びカウンターシャフト３ｂの各回転数が乱れて安定しない期間における現シフト段の点滅的表示や通過のみの中間変速段の一時的表示が好適に抑制されるようになる。
また、現シフト段を判定する際に使用される実変速比の演算（ギヤレシオ演算Rｇ）はメインシャフト３ａ及びカウンターシャフト３ｂの各回転数Nm、Ncを基に算出されるため、クラッチの係合に関わらず現シフト段を正確に判定することが出来る。更に、現シフト段を判定する際に必要となるセンサはメインシャフト回転数検知センサ３ｄ、カウンターシャフト回転数検知センサ３ｅ及びニュートラルセンサ５ｅだけで済むことになるため、生産コストを好適に削減することが出来る。
【００５０】
なお、以降では、上記遅延タイマーに加えて、所定の間だけシフト変速直前のシフト段ステータスを表示する保持タイマーを使用したシフト段誤検知防止処理の例を示す。
【００５１】
図４は、本発明のシフト段誤検知防止処理（保持タイマー有り）の一例を示すフロー図である。なお、ここではシフト段を３速段から１速段へ飛びシフトダウンする例を示す。
【００５２】
先ず、ステップＳ１では、現シフト段の実変速比を演算する。実変速比の演算はメイン回転数検知センサ３ｄから出力されるメインシャフト３ａの回転数に係る信号Ｎmと、カウンター回転数検知センサ３ｅから出力されるカウンターシャフト３ｂの回転数に係る信号Ｎcとの比を算出することにより行われる。なお、その演算結果は、ギヤレシオ演算Rg（図５）としてシフト段判定装置６内に記憶される。
【００５３】
次に、ステップＳ２では、ギヤレシオ演算Rgが３速段の変速比変動許容領域内か否かを判定する。ステップＳ１で算出したギヤレシオ演算Rgが３速段の変速比変動許容領域内（ＹＥＳ）にあればステップＳ３へ進む。他方、ギヤレシオ演算Rgが３速段の変速比変動許容領域から離脱状態（ＮＯ）にあれば、ステップＳ４へ進み保持タイマーを始動させる。
【００５４】
次に、ステップＳ３では、現シフト段が中立（ニュートラル位置）か否かを判定する。シフト段判定装置６がニュートラルセンサ信号Ｐnのオン信号を受信する場合は現シフト段がニュートラル位置（ＹＥＳ）と判定され、ステップＳ４へ進み保持タイマーを始動させる。他方、シフト段判定装置６がニュートラルセンサ信号Ｐnのオン信号を受信しない場合は現シフト段がニュートラル位置ではない（ＮＯ）と判定され、ステップＳ１へ戻り再度、現シフト段の実変速比であるギヤレシオ演算Rgを算出する。
【００５５】
このように、ギヤレシオ演算Rgが現シフト段の変速比変動許容領域から離脱した時、あるいはニュートラルセンサ信号Pnのオン信号を受信した時の何れか早い時に、シフト段判定装置６は保持タイマーを始動させる。
【００５６】
ステップＳ４では、保持タイマーを始動させる（保持時間の計測を開始する。）。保持タイマーが作動している間、シフト段判定装置６は保持タイマーが始動する直前のシフト段ステータスを表示する。なお、保持タイマーが始動する直前のシフト段を表示する代わりに、何も表示しないとすることも可能である。
【００５７】
ステップＳ５では、ステップＳ１と同様に現シフト段の実変速比であるギヤレシオ演算Rgを算出する。
【００５８】
ステップＳ６では、ギヤレシオ演算Rgが次段である２速段の変速比変動許容領域内か否かを判定する。ステップＳ２と同様にギヤレシオ演算Rgが図６に示される２速段の変速比変動許容領域内（ＹＥＳ）にあればステップＳ１１へ進み遅延タイマーを始動させる。他方、ギヤレシオ演算Rgが図６に示される２速段の変速比変動許容領域から離脱状態（ＮＯ）にあればステップＳ７へ進む。このように、保持タイマーが作動している間であっても、シフト段判定装置６が遅延タイマーの開始信号（ギヤレシオ演算Rgが次段の変速比変動許容領域内に到達したという信号）を受信した時は、保持タイマーを停止し遅延タイマーを始動する。つまり、本発明のシフト段誤検知防止処理では遅延タイマーの処理が保持タイマーの処理よりも優先されることになる。
【００５９】
ステップＳ７では、保持時間（保持タイマーを始動した後の経過時間）が設定時間Ｔkを超えたか否かを判定する。保持時間が設定時間Ｔkを超えている（ＹＥＳ）と判定された場合は、ステップＳ８へ進む。他方、保持時間が設定時間Ｔkを超えていない（ＮＯ）と判定された場合は、ステップＳ５へ戻り、現シフト段の実変速比であるギヤレシオ演算Rgを算出する。
【００６０】
ステップＳ８では、ステップＳ３と同様にニュートラル位置か否かを判定する。現シフト段がニュートラル位置（ＹＥＳ）と判定された場合は、現シフト段のステータスはニュートラル位置と確定（決定）され、ステップＳ１６へ進み、シフト段ステータス表示器７において何も表示されない。そして、ステップＳ８に戻り再度同じ処理を実施する。他方、現シフト段がニュートラル位置ではない（ＮＯ）と判定された場合は、ステップＳ９へ進み、ステップＳ１及びＳ５と同様に現シフト段の実変速比であるギヤレシオ演算Rgを算出する。
【００６１】
ステップＳ１０では、ギヤレシオ演算Rgが、次段である１速段の変速比変動許容領域内か否かを判定する。ステップＳ９で算出したギヤレシオ演算Rgが１速段の変速比変動許容領域内（ＹＥＳ）にあればステップＳ１１へ進み、遅延タイマーを始動させる。他方、ギヤレシオ演算Rgが１速段の変速比変動許容領域から離脱状態（ＮＯ）にあれば、シフト段判定装置６は未だ（現シフト段は）１速段に達していないと判定し現シフト段のステータスは不確定として確定（決定）して、ステップＳ１７へ進み、シフト段ステータス表示器７において何も表示しない。そして、ステップＳ８に戻り再度同じ処理を実施する。
【００６２】
ステップＳ１２では、ステップＳ１、Ｓ５及びＳ９と同様に現シフト段の実変速比であるギヤレシオ演算Rgを算出する。
【００６３】
ステップＳ１３では、ステップＳ１０と同様にギヤレシオRgが１速段の変速比変動許容領域内か否かを判定する。ステップＳ１２で算出したギヤレシオ演算Rgが図６に示される１速段の変速比変動許容領域内（ＹＥＳ）にあれば、ステップＳ１４へ進む。他方、ギヤレシオ演算Rgが図６に示される１速段の変速比変動許容領域から離脱状態（ＮＯ）にあれば、現シフト段のステータスは確定しないため、ステップＳ１８へ進み、ステップＳ１８において遅延タイマーの作動は停止され遅延時間はゼロにリセットされる。その後再度ステップＳ８へ戻り、再度ニュートラル位置か否かを判定する。なお、ステップＳ８→ステップＳ９→ステップＳ１０を経てステップＳ１０において再度遅延タイマーを始動させる場合は、遅延タイマーはゼロからスタートすることになる。
【００６４】
ステップＳ１４では、遅延時間（遅延タイマーがスタートした後の経過時間）が設定時間Ｔ１*を超えたか否かを判定する。遅延時間が設定時間Ｔ１*を超えている（ＹＥＳ）と判定された場合は、シフト段判定装置６は現シフト段が１速段に到達したと判定しステップＳ１５へ進み、現シフト段のステータスが確定（決定）され、シフト段ステータス表示器７において１速段を意味する”１”と表示され、処理が終了する。遅延時間が設定時間Ｔ１*を超えていない（ＮＯ）と判定された場合は、設定時間Ｔ１*が経過するまで、実変速比の算出処理（ステップＳ１２）および現シフト段の判定処理（ステップＳ１３）を繰り返し実施し、その後ステップＳ１５へ進み、現シフト段のステータスが確定（決定）されシフト段ステータス表示器７において１速段を意味する”１”と表示され、処理が終了する。
【００６５】
図５は、図４のシフト段誤検知防止処理（保持タイマー有り）に係るニュートラルセンサ信号Pn、カウンターシャフト回転数Ncとメインシャフト回転数Nmとのギヤレシオ演算Rg、並びにシフト段ステータス等の各タイムチャート（時系列データ）を示す説明図である。なお、参考としてシフト荷重Ls、クラッチストロークSc、シフトストロークSs及びエンジン回転数Neの各タイムチャートについても併記されている。また、図中の「シフト段演算」とは、ギヤレシオ演算Rgを図６に示す変速比マップ（各変速段の変速比変動許容領域）に基づいて離散化処理することにより得られた現シフト段ステータス（１速段、２速段、・・・）を示す指標である。
【００６６】
時刻t1においてクラッチペダル４ａが踏み込まれると図４の処理が開始し、シフト段判定装置６はカウンターシャフト回転数Ncとメインシャフト回転数Nmを取り込みながらギヤレシオ演算Rgおよびシフト段演算をそれぞれ実施する。これらの処理は例えば図４のステップＳ１及びＳ２に対応している。
【００６７】
時刻t2においてニュートラルセンサ信号Pnがオン（ＯＮ）となると、保持タイマーが始動する。保持タイマーが作動している期間シフト段判定装置６はシフト段ステータス表示器７において、ニュートラルセンサ信号Pnのオン信号を受信する直前のシフト段ステータスを表示する。今の場合、直前のシフト段ステータスは３速段であるから、シフト段ステータス表示器７において３速段を意味する”３”と表示される。ここで注意しなければならないのは、時刻t4においてギヤレシオ演算Rgが次段である２速段の変速比変動許容領域内に到達するため、シフト段判定装置６は保持タイマーを停止させると共に遅延タイマーを始動させる。これらの処理は図４のステップＳ４→ステップＳ５→ステップＳ６→ステップＳ１１に対応している。
【００６８】
しかし、時刻t5において実変速比（ギヤレシオRg）が２速段の変速比変動許容領域を離脱しシフト段判定装置６は時刻t5に遅延タイマーを停止させると共に遅延時間をゼロにリセットする。結果的に、遅延タイマーは予め設定された時間Ｔ２*の途中で終了することになる。。それ以後時刻t6までギヤレシオ演算Rgは次段である１速段の変速比変動許容領域内に到達していないため、シフト段判定装置６はシフト段ステータスを確定することが出来ず、シフト段ステータス表示器７において２速段を意味する”２”が表示されずに何も表示されない。つまり、３速段から１速段へのシフト変速において、単に通過するだけの中間変速段である２速段がシフト段ステータスとしてシフト段判定装置６によって誤検知されることはない。なお、これらの処理は図４のステップＳ１２→ステップＳ１３→ステップＳ１８に対応している。
【００６９】
時刻t6において実変速比（ギヤレシオRg）が１速段の変速比変動許容領域内に到達すると、シフト段判定装置６は遅延タイマーを始動させ、遅延時間の計測を開始する。遅延タイマーは所定の間Ｔ１*だけ、すなわち、時刻t6から時刻t7（＝t6＋Ｔ１*）までの間作動する。遅延タイマーが作動している間、シフト段判定装置６は現シフト段が対応する変速比変動許容領域内であるか否かを判定しながらシフト段ステータスの決定を休止しシフト段ステータスにおいて何も表示しない。そのため、シフト段演算を見ると、時刻t6から時刻t7までの間、シフト段演算は１速段（1st）と判定しているのに対し、シフト段ステータスにおいては不確定として現シフト段は確定（決定）していない。これらの処理は図４のステップＳ９→ステップＳ１０→ステップＳ１１→ステップＳ１２→ステップＳ１３→・・・の処理に対応している。
【００７０】
時刻t7において遅延タイマーの作動が終了すると、シフト段判定装置６はシフト段演算の結果を参照しながら現シフト段のステータスを確定（決定）し、シフト段ステータスにおいて１速段を意味する”１”と表示する。
【００７１】
以上の通り、本発明のシフト段誤検知防止処理では、ギヤレシオ演算Rgと変速比マップに基づいて判定された現シフト変速段（現在インギヤ中のシフト段）を決定する際、現シフト段ステータスの決定を予め決められた時間休止する遅延タイマーが設けられ、メインシャフト３ａ及びカウンターシャフト３ｂの各回転数Nm、Ncが乱れて安定しないシンクロ作動中やシンクロ作動完了直後における現シフト段ステータスのシフト段判定装置６による決定を休止するように構成されている。これにより、シフト段判定装置６によるシフト段の誤検知が好適に防止され、その結果、メインシャフト３ａ及びカウンターシャフト３ｂの各回転数が乱れて安定しない期間における現シフト段の点滅的表示や通過のみの中間変速段の一時的表示が好適に抑制されるようになる。
また、現シフト段を判定する際に使用される実変速比の演算（ギヤレシオ演算Rｇ）はメインシャフト３ａ及びカウンターシャフト３ｂの各回転数Nm、Ncを基に算出されるため、クラッチの係合に関わらず現シフト段を正確に判定することが出来る。更に、現シフト段を判定する際に必要となるセンサはメインシャフト回転数検知センサ３ｄ、カウンターシャフト回転数検知センサ３ｅ及びニュートラルセンサ５ｅだけで済むことになるため、生産コストを好適に削減することが出来る。
また、シフト変速直前のシフト段ステータスを表示する保持タイマーを設けることにより、シフト段ステータスにおいて空白表示が短縮されるため、現シフト段の点滅的表示や中間シフト段の一時的表示を更に好適に抑制することが可能となり、これによりドライバーに違和感を与えることが好適になくなる。
【符号の説明】
【００７２】
１        駆動源
２        クラッチ部
３        ギヤ部
４        クラッチ操作部
５        シフト段操作部
６        シフト段判定装置
７        シフト段ステータス表示器
１００    変速機システム
【図１】
2015227713.tif 000003
【図２】
2015227713.tif 000004
【図３】
2015227713.tif 000005
【図４】
2015227713.tif 000006
【図５】
2015227713.tif 000007
【図６】
2015227713.tif 000008